Podtech/llm-jp-corpus-v4-ja_patent huggingface dataset:
(57)【要約】      （修正有）【課題】評価対象である粘着性部材上に、球を落とすかまたは置いたのち、該粘着性部材を水平から徐々に傾斜させ、該球が転落し始める傾斜角にもとづく粘着性の評価方法を提供する。【解決手段】粘着性部材の粘着性評価方法として、球を設置した粘着性部材を水平状態から傾斜させ、球が転落し始める角度（転落角）を用いて評価する方法である。粘着性の差が僅かな試料間の評価を可能とする。または、弱粘着性部材に対して、測定結果のバラツキを小さく、有意な差を見出すことができる。【選択図】図１
2019015556.tif 000002
【特許請求の範囲】
【請求項１】
評価対象である粘着性部材上に、球を落とすかまたは置いたのち、該粘着性部材を水平から徐々に傾斜させ、該球が転落し始める傾斜角にもとづく粘着性の評価方法。
【発明の詳細な説明】
【技術分野】
【０００１】
本発明は、シート状粘着性部材の粘着性の評価方法に関する。
【背景技術】
【０００２】
粘着性部材の粘着性を評価する方法として次のような方法がある。
【０００３】
ピール粘着力試験法は、試験板を試験部材に貼り付けた後、１８０°または９０°方向に引き剥がすのに要する力を測る方法である。
【０００４】
傾斜式球タック試験法は、斜面に固定された部材上に球を転がし、停止する球の最大の大きさを測定する方法である。
【０００５】
ローリング球タック試験法は、斜面に固定された部材上に一定の大きさの球を転がし、停止するまでの距離を測定する方法である。
【０００６】
プローブタック試験法は、粘着面に円柱状のプローブを短時間接触させた後、引き剥がすときの力を測定する方法である。
【先行技術文献】
【特許文献】
【０００７】
【特許文献１】特開２００３−４２９３８号公報
【非特許文献】
【０００８】
【非特許文献１】ＪＩＳ  Ｚ０２３７：２００９（粘着テープ・粘着シート試験方法）
【発明の概要】
【発明が解決しようとする課題】
【０００９】
しかしながら、前記の方法はいずれも粘着性に大きな差がある部材間の評価に対して適用可能であり、粘着性の差が僅かな試料間の評価、または、弱粘着性部材に対しては測定結果のバラツキが大きく、有意な差を見出すことが困難であった。また、ピール粘着力試験法、プローブタック試験法を行うには力を測定する試験機が必要であり簡便に試験を行うことが困難である。本発明はこれらの課題を解決することを目的とする。
【課題を解決するための手段】
【００１０】
上記課題を解決するため、本発明は以下の構成からなる。つまり
（１）評価対象である粘着性部材上に、球を落とすかまたは置いたのち、該粘着性部材を水平から徐々に傾斜させ、該球が転落し始める傾斜角にもとづく粘着性の評価方法である。
【発明の効果】
【００１１】
本発明では、角度をもって粘着性を評価するため、再現性がよく粘着性の僅かな差も見出すことが可能となる。また、前記の評価方法では困難であった弱粘着性部材の評価も可能となる。
【図面の簡単な説明】
【００１２】
【図１】本発明の粘着性評価方法の概略説明図である。
【発明を実施するための形態】
【００１３】
以下、本発明に係る粘着力試験器具および粘着力試験方法について説明する。
【００１４】
まず、本発明に係る粘着力試験器具の概略を図１に基づいて説明する。
【００１５】
この試験器具は、図１に示すように、球を載せた試験対象である粘着性部材を水平状態から一定角速度、つまり、好ましくは０〜１０°／秒の範囲で、０．１°／秒単位で徐々に傾斜させる。かつ、傾斜角度が０．１°単位で読み取れるようになっていることが好ましい。
【００１６】
試験片である粘着性部材は、表面が平滑であり、うねりがないものが好ましい。金属製基板やガラス製基板に塗布された粘着部材の場合はそのまま、留め具に寄せた状態で試験試料台に設置する。粘着テープなどたわむ可能性のある部材の場合は、スライドガラスなどの基材上にテープなどで固定化して試験試料台に設置することが好ましい。
【００１７】
球は、例えば、ステンレス製が好ましく例示されるが、均一な材質で構成されており、表面が平滑、かつ、ほぼ真球に近い形状のものを用いることが好ましい。
【００１８】
また、球は、直径１／３２インチから１インチの範囲のいずれかが好ましく用いられる。試験を行う直前に、球の表面の汚れを除去するために、アセトンやメチルイソブチルケトンなどの溶剤で洗浄し、十分乾燥させておくことが好ましい。また、球を扱うピンセット類も、球と同様洗浄、乾燥させておくことが好ましい。
【００１９】
以下に好ましい評価方法を例示する。
【００２０】
予備試験として、直径１／４インチの球を、水平状態の試験試料台に設置された試験片上に設置し、試験試料台を一定角速度、例えば毎秒１°で傾斜させる。球が転落する角度が概ね10〜40°の範囲に収まるように球の大きさを調節することが好ましい。
【００２１】
試験試料台に設置された試験片表面から一定の高さ、例えば５ｍｍから、清浄なピンセットを用いて球を試験片上に落とし、設置する。
【００２２】
球設置の一定時間後、例えば３０秒後に試験試料台の傾斜を、球の状態を観察しながら開始する。その時の角速度は一定、例えば毎秒０．１°とする。球が転落開始したときの試験試料台の傾斜角を読み取り、その角度を転落角とする。
【００２３】
試験試料台を水平に戻し、球を清浄なものに取り替え、試験片の別の箇所について転落角度計測を繰り返す。
【実施例】
【００２４】
以下、本発明について実施例で説明するが、本発明は必ずしもこれに限定されるものではない。
【００２５】
弱粘着性部材として市販のボトルガムに付属しているガム捨て紙の粘着部を切り出し、スライドガラスに固定化し、試験片とした。試験片を試験試料台に設置し、清浄なピンセットを用いて試料面から５ｍｍの高さから１／３２インチのステンレス製球を試験片に落とし、設置した。球設置後、３０秒後に球の状態を観察しながら毎秒０．１°の角速度で試験試料台の傾斜を開始し、転落角を測定した。また、粘着性のない対照の試験片として、清浄なスライドガラスについても、１／３２インチのステンレス製球を用いて転落角を求めた。
【００２６】
この試験を球、試験片の測定箇所を変えて合計１０回測定した。
【００２７】
表１に転落角の測定結果を示す。
【００２８】
【表１】
2019015556.tif 000003
【００２９】
表１から明らかなように、粘着性のあるガム捨て紙粘着部の転落角は、粘着性のないスライドガラスの転落角より大きく、同じ種類・サイズの球を用いれば、転落角の大小で粘着性の大小を評価できることがわかる。
【符号の説明】
【００３０】
Ａ：留め具
Ｂ：試験試料台
Ｃ：試験片
Ｄ：球
【図１】
2019015556.tif 000004
(57)【要約】【課題】海老を高温で調理すると、調理後は海老は、腹側に丸まってしまうため、それを避けるために、調理事前に海老の体に複数の切れ目を入れる作業が必要であり、余計な時間を費やしてしまう。【解決手段】本発明は、この複数の切れ目を入れる作業を短縮及び容易にするもので、本体凹部内底に複数の刃、及び上から押さえつけるレバーに縦の刃を設け、本体底刃の上に寝かせつけた海老に、縦刃ごと押さえつけることで、海老の腹側に横形の、背側に縦の切れ目を一回の動作で入れることを可能とした。【選択図】図１
2019047770.tif 000002
【特許請求の範囲】
【請求項１】
凹状の内部奥行きを形成する本体底に、本体より取り外し可能な複数の刃を設け、その上に海老を乗せて、上側から刃の付いたレバーで海老を押し付けることにより、海老の腹側および背側同時に一回の動作で複数の切れ目を入れることを可能とした、海老に切れ目を入れる調理下処理具。
【請求項２】
本体内部底に、固定の複数の刃を設けた、請求項１記載の、海老に切れ目を入れる調理下処理具。
【発明の詳細な説明】
【技術分野】
【０００１】  本発明は、海老を調理する際の事前処理に関するものである。
【背景技術】
【０００２】  従来、一般的に海老を調理する場合、海老の筋の影響で、加熱すると海老の胴体が折れ曲がって姿形状が変化してしまう。【０００３】  調理するために高温を加えると、海老の筋が収縮するために筋が引っ張られて海老の胴体が内側に丸まってしまうのを防止するために、通常は事前に海老の胴体数か所に刃物で切れ目を入れてから調理する。
【先行技術文献】
【０００４】
【特許文献１】特許２９１７２４９
【特許文献２】特開２００７−０１４３０１
【０００５】
【非特許文献１】該当するものが見つからず。
【発明の概要】
【発明が解決しようとする課題】
【０００６】  通常、海老を調理する場合、事前に何らかの処理をせずにそのまま、天ぷら、あるいは煮込みといった加熱調理をすると、海老は腹側に丸まってしまい見栄えがよくない。【０００７】  かかる状態が発生するのは、海老の筋が温度によって収縮するために起こるためで、それを避けるために、一般的には、調理の事前に、刃物で海老の胴体数か所に切れ目を入れる。【０００８】  この作業では、海老の胴体数か所に切れ目を入れるために、切れ目の数だけ、いちいち切れ目を入れる作業が必要となり、調理の数が多いと大きな時間を費やすことになる。
【課題を解決するための手段】
【０００９】  本発明は、上記に述べたような不具合を解消するために、一動作でいっぺんに多くの切れ目を容易に入れることを可能とした。【００１０】  手段として、海老７の腹側に切れ目を入れるための複数の刃がセットされた本体１と、そこに海老７をセットして上から押さえつけるためのレバー２を、本体１との動作支点５を中心に、海老７を押さえつけて、縦刃３と横切れ目用刃４が海老に食い込むことで一気に複数の切れ目を入れる。【００１１】  レバー２には、縦方向に中央に縦刃３を設けてあり、レバー２を押すと、この縦刃３が、本体１側の横切れ目用刃の上にセットされた海老７を押さえつけて、海老７の腹側に横型の切れ目を、背中側に縦型の切れ目を一動作で入れることができる。
【発明の効果】
【００１２】  海老７をセットして本体１とレバー２を握りしめるだけで一気に多数の切れ目をいれることができるので、調理するための時間が大幅に短縮できる。【００１３】  包丁といった、刃物を使用しないため、あわてて怪我をするといったことも回避でき、切れ目の状態が一定で簡易にできるため、調理の不得手者でも安定した下処理が可能である。
【図面の簡単な説明】
【００１４】
【図１】本発明の内部をわかりやすくした斜視図である。
【図２】本発明の外観斜視図である。
【図３】本発明を横から見た図で、動作を示す。
【図４】本発明に海老をセットして切れ目を入れた操作状態の横からみた内部概念図。
【図５】本体１より横切れ目用刃４を取りはずしてある図。
【発明を実施するための形態】
【実施例１】
【００１５】  図１は本発明の内部をわかりやすくした斜視図であるが、本体１の内部底側に複数の横切れ目用刃４を設けてある。【００１６】  この、横切れ目用刃４は図５に示すように後部側９より本体１内に挿入して、図１に示すごとく設定されていて、横切れ目用刃のつまみ部分６をつまんで、横切れ目用刃４を本体１より引きだして本体１と分離して、本体１と横切れ目用刃４それぞれを洗浄しやすくしてある。
【実施例２】
【００１７】  本発明での形態として、この横切れ目用刃４は、上記に説明のごとく本体１と分離可能とせず、本体１内に固定刃としても同じ効果が得られる。【００１８】  まず、レバー２を図３のように開いた状態で、海老７の腹側を下にし、尻尾側は本体前側８の向きにして、凹状の本体１内の横切れ目用下刃４の上に寝かせて設置する。【００１９】  次にレバー２を本体１側に向けて押し付けて、図４に示すように閉じると、海老１の腹側には横に複数の切れ目、背側は縦に長い切れ目が、握るだけの一動作で入れることが可能である。【００２０】  本体１に海老７を装着した状態からは、切れ目を入れる操作はグリップを握る要領で片手で容易に行うことができる。
【産業上の利用可能性】
【００２１】  同時に複数の切れ目を入れることができるため調理及び下処理にかかる時間を大幅に省略できる。【００２２】  手先の器差に関係なく、同じ品質の調理が可能となる。【００２３】  切れ目を入れる刃物を使わないために、怪我といった事故に対する緊張感から解放される。
【符合の説明】
【００２４】１    本体
２    レバー
３    縦刃
４    横切れ目用刃
５    動作支点
６    横切れ目用刃のつまみ部分
７    海老
８    本体前側
９    後部側
【図１】
2019047770.tif 000003
【図２】
2019047770.tif 000004
【図３】
2019047770.tif 000005
【図４】
2019047770.tif 000006
【図５】
2019047770.tif 000007
(57)【要約】【課題】  ｐ型半導体とｎ型半導体をｐｎ接合した部分に端子を付けた３端子の半導体素子、ｎ型半導体とｐ型半導体をｐｎ接合させた半導体素子に、同じようにｐｎ接合させた半導体素子を接合させた部分に端子を取り付けた半導体素子をモーターの筐体に設置することによって電気エネルギーを生み出し、ノイズの減少を行うことを目的とする。【解決手段】本発明のｐ型半導体とｎ型半導体をｐｎ接合した部分に端子を付けた３端子の半導体素子、ｎ型半導体とｐ型半導体をｐｎ接合させた半導体素子に、同じようにｐｎ接合させた半導体素子を接合させた部分に端子を取り付けた半導体素子をモーターの筐体に設置することによって電気エネルギーを生み出し、ノイズの減少を行うのである。【選択図】図１
2019047712.tif 000002
【特許請求の範囲】
【請求項１】
モーターの筐体に電磁場吸収材を設置、ｐ型半導体とｎ型半導体をｐｎ接合した部分に端子を付けた半導体素子のｐｎ接合した部分の端子を電磁場吸収材に設置した回路とユニット。
【請求項２】
モーターの筐体に電磁場吸収材を設置、ｎ型半導体とｐ型半導体をｐｎ接合させた半導体素子に、ｎ型半導体とｐ型半導体をｐｎ接合させた半導体素子を接合させる、その接合させた部分に端子を電磁場吸収材に設置した回路とユニット。
【発明の詳細な説明】
【技術分野】
【０００１】  本発明は、３端子素子をモーターに取り付けることでモーターから出ているノイズを電気エネルギーに変換しながらノイズを減少させる。
【背景技術】
【０００２】  ３端子素子とは、ｐ型半導体とｎ型半導体をｐｎ接合した部分に端子を付けた３端子の半導体素子を言う。【０００３】  もしくは、ｎ型半導体とｐ型半導体をｐｎ接合させ、さらにｎ型半導体とｐ型半導体をｐｎ接合させた半導体素子を直列に接合した時の接点に端子を取り付けた半導体素子を言う。【０００４】  これまで  モーターのノイズを電気エネルギーに変換させながらモーターのノイズを減少させる方法はなかった。
【先行技術文献】
【特許文献】
【発明の概要】
【発明が解決しようとする課題】
【０００５】  本発明は、３端子素子をモーターに取り付けることでモーターから出ているノイズを電気エネルギーに変換しながらノイズを減少させる。
【課題を解決するための手段】
【０００６】  モーターの筐体に電磁場吸収材を設置、ｐ型半導体とｎ型半導体をｐｎ接合した部分に端子を付けた半導体素子のｐｎ接合した部分の端子を電磁場吸収材）に設置して直流電源を取り出しながらノイズも減少させる。【０００７】  モーターの筐体に電磁場吸収材を設置、ｎ型半導体とｐ型半導体をｐｎ接合させた半導体素子に、ｎ型半導体とｐ型半導体をｐｎ接合させた半導体素子を接合させた部分に端子を電磁場吸収材に設置して直流電源を取り出しながらノイズも減少させる。
【発明の効果】
【０００８】  本発明は、モーターの筐体に電磁場吸収材を設置、ｎ型半導体とｐ型半導体をｐｎ接合させた半導体素子に、ｎ型半導体とｐ型半導体をｐｎ接合させた半導体素子を接合させた部分に端子を電磁場吸収材に設置すると直流電源を取り出しながらノイズを減少させることができる。
【発明を実施するための形態】
【０００９】以下、図面を参照して本発明の実施形態を説明する。
なお、以下に説明する実施形態に限定されることなく、本趣旨を離脱しない範囲で、任意の構造を採用することができる。
【００１０】ｎ型半導体とｐ型半導体が全く逆になっても構わない。
この構成図を連続的に並列・直接に接続した場合も有効的にエネルギー効率は上がる。
【図面の簡単な説明】
【００１１】
【図１】図１は、モーターに電磁場吸収材を設置、ｐ型半導体とｎ型半導体をｐｎ接合した部分に端子を付けた基本構成図である。
【図２】図２は、モーターに電磁場吸収材を設置、ｎ型半導体とｐ型半導体に、さらにｎ型半導体とｐ型半導体を接合した部分に端子を取り付けた構成図である。
【符号の説明】
【００１２】１      モーター
２      電磁場吸収材
３      ３端子
４      １端子
５      ｎ型半導体
６      ｐ型半導体
７      ２端子
【図１】
2019047712.tif 000003
【図２】
2019047712.tif 000004
(57)【要約】【課題】  より簡易な方法で薬の体内への吸収を促し、薬の効果を高めたり、薬の処方量を抑えることが可能となる投薬補助居室装置及び投薬方法を提供するものである。【解決手段】  居室を形成するチャンバと、チャンバ内の気圧を下げるための減圧手段とを備え、減圧手段を用いてチャンバ内の気圧を下げ、投薬時又は投薬後の薬剤の体内への吸収時に居室する場所を形成することを特徴とし、チャンバ内の気圧が、０．９気圧〜０．６気圧であることを特徴とする。【選択図】図１
2019047939.tif 000002
【特許請求の範囲】
【請求項１】
投薬時又は投薬後の薬剤の体内への吸収時に居室する投薬補助居室装置において、
該居室を形成するチャンバと、
該チャンバ内の気圧を下げるための減圧手段とを備え、
該減圧手段を用いて該チャンバ内の気圧を下げ、投薬時又は投薬後の薬剤の体内への吸収時に居室する場所を形成することを特徴とする投薬補助居室装置。
【請求項２】
前記チャンバ内の気圧が、０．９気圧〜０．６気圧であることを特徴とする請求項１記載の投薬補助居室装置。
【請求項３】
投薬方法において、
居室を減圧手段により気圧を下げ、該減圧された居室に、投薬時又は投薬後の薬剤の体内への吸収時に居室するようにすることを特徴とする投薬方法。
【請求項４】
前記減圧された居室内の気圧が、０．９気圧〜０．６気圧であることを特徴とする請求項３記載の投薬方法。
【発明の詳細な説明】
【技術分野】
【０００１】
本発明は、投薬時又は投薬後の薬剤の体内への吸収時に居室する投薬補助居室装置及び投薬方法に関する。
【背景技術】
【０００２】
従来より、投薬した薬の体内への吸収を促すための手段が、各種提案されてきている。例えば、特許文献１には、薬自体に吸収推進剤を含有させ、医薬吸収を増大させる方法が示されている。
【先行技術文献】
【特許文献】
【０００３】
【特許文献１】特開昭６０−２３９４２７号公報
【発明の概要】
【発明が解決しようとする課題】
【０００４】
しかしながら、従来の薬の吸収を増大させる方法では、薬毎に体内への吸収を促すための吸収推進剤を含有させる必要があり、製薬上の制限を受けることになる。
【０００５】
本発明は、このような事情に鑑みてなされたもので、より簡易な方法で薬の体内への吸収を促し、薬の効果を高めたり、薬の処方量を抑えることが可能となる投薬補助居室装置及び投薬方法を提供するものである。
【課題を解決するための手段】
【０００６】
請求項１記載の投薬補助居室装置は、居室を形成するチャンバと、チャンバ内の気圧を下げるための減圧手段とを備え、減圧手段を用いてチャンバ内の気圧を下げ、投薬時又は投薬後の薬剤の体内への吸収時に居室する場所を形成することを特徴とする。
【０００７】
請求項２記載の投薬補助居室装置は、チャンバ内の気圧が、０．９気圧〜０．６気圧であることを特徴とする。
【０００８】
請求項３記載の投薬方法は、居室を減圧手段により気圧を下げ、減圧された居室に、投薬時又は投薬後の薬剤の体内への吸収時に居室するようにすることを特徴とする。
【０００９】
請求項４記載の投薬方法は、減圧された居室内の気圧が、０．９気圧〜０．６気圧であることを特徴とする。
【発明の効果】
【００１０】
本願の発明によれば、より簡易な方法で薬の体内への吸収を促し、薬の効果を高めたり、薬の処方量を抑えることが可能となる。
【図面の簡単な説明】
【００１１】
【図１】本発明に係る投薬補助居室装置の構成の一例を示す説明図である。
【発明を実施するための形態】
【００１２】
以下、本発明の形態について図面を参照しながら具体的に説明する。図１は、本発明に係る投薬補助居室装置の構成の一例を示す説明図である。本願における投薬補助居室装置１は、投薬時又は投薬後の薬剤の体内への吸収時に居室するものである。
【００１３】
投薬補助居室装置１は、居室を形成するチャンバ１０と、チャンバ１０内の気圧を下げるための減圧手段である減圧用コンプレッサ２０とを備え、減圧用コンプレッサ２０でチャンバ内１０ａの空気をチャンバ１０の外に出すことでチャンバ内１０ａの気圧を下げる構造である。また、チャンバ内１０ａの気圧をモニタするための圧力計３０も備えている。尚、本実施の形態及び図１では、減圧手段としての減圧用コンプレッサ２０を、チャンバ１０に内側に設けているが、このような形態に限られるものではなく、例えば、減圧用コンプレッサ２０をチャンバ１０の外側に設け、チャンバ内１０ａの空気を外から抜くことにより、チャンバ内１０ａの気圧を下げるようにしてもよい。
【００１４】
チャンバ１０は、人の身体が完全に収まる大きさで、単に横たわって入ることができる大きさから、部屋状の大きさだったり座ったりすることができる大きさや、複数人が入ることができる大きさまで、様々である。そして、チャンバ１０は、図示しない出入口があり、チャンバ１０を閉じた状態では、チャンバ内１０ａは密閉空間になるような構造である。
【００１５】
チャンバ内１０ａの気圧は、１気圧よりも小さい低い気圧にすれば良いが、０．９気圧〜０．６気圧が、好ましい。
【００１６】
このような構造の投薬補助居室装置１に、人が投薬時又は投薬後の薬剤の体内への吸収時に居室するようにする。本願の投薬補助居室装置１によれば、低圧環境で、末梢血管が拡張し、血液循環が促進されるため、より簡易な方法で薬の体内への吸収を促し、薬の効果を高めたり、薬の処方量を抑えることが可能となる。
【産業上の利用可能性】
【００１７】
以上のように、本発明によれば、より簡易な方法で薬の体内への吸収を促し、薬の効果を高めたり、薬の処方量を抑えることが可能となる投薬補助居室装置及び投薬方法を提供することができる。
【符号の説明】
【００１８】
１・・・・・投薬補助居室装置
１０・・・・チャンバ
１０ａ・・・チャンバ内
２０・・・・減圧用コンプレッサ
２２・・・・減圧用排気弁
３０・・・・圧力計
【図１】
2019047939.tif 000003
(57)【要約】      （修正有）【課題】アンテナ端子として外部からのエネルギー（静電気・ノイズ・電波・波動）を取り込み、連続的に電気エネルギー（電力）に変換させる半導体素子を提供する。【解決手段】ｐ型半導体２とｎ型半導体１をｐｎ接合した部分に端子５を付けた３端子の半導体素子又はｎ型半導体１とｐ型半導体２をｐｎ接合させた半導体素子に、ｎ型半導体１とｐ型半導体２をｐｎ接合させた半導体素子を接合させた部分に端子５を取り付けた３端子に、アンテナ端子として外部からのエネルギー（静電気・ノイズ・電波・波動）を取り込むことによって、連続的に電気エネルギー（電力）を発生させる。【選択図】図１
2019047099.tif 000002
【特許請求の範囲】
【請求項１】
ｐ型半導体とｎ型半導体をｐｎ接合した部分に端子を付けた３端子の半導体素子。
【請求項２】
ｎ型半導体とｐ型半導体をｐｎ接合させた半導体素子に、ｎ型半導体とｐ型半導体をｐｎ接合させた半導体素子を接合させた中心部分に端子を取り付けた３端子の半導体素子。
【請求項３】
請求項２の３端子の半導体素子を直列に数個並べたもの。
【請求項４】
請求項２の３端子の半導体素子を並列に数個並べたもの。
【請求項５】
請求項２の３端子の半導体素子を直列に数個並べたものと並列に並べたもの。
【発明の詳細な説明】
【技術分野】
【０００１】  本発明は、ｐ型半導体とｎ型半導体をｐｎ接合したダイオードや、ｎ型半導体をｐ型半導体で挟んだ、もしくはｐ型半導体ｎ型半導体で挟んだトランジスタなどがある。太陽電池もｐｎ接合している。
この時のｐｎ接合部分に端子を取り付けた３端子素子である。
【背景技術】
【０００２】  ｐｎ接合とは、半導体中でｐ型の領域とｎ型の領域が接している部分を言う。【０００３】  半導体素子には、トランジスタ、ダイオード、発光ダイオード等がある。
集積回路（ＩＣ，ＬＳＩ）は、多数の半導体素子を一括して作成したものである。【０００４】    ２端子素子は、通常「ダイオード」と呼ばれる。
３端子素子の代表的な半導体素子は、トランジスタ・サイリスタと呼ばれている。【０００５】  ｐｎ接合部分に端子を取り付けた半導体素子は、世界的にどこもない。
【先行技術文献】
【特許文献】
【発明の概要】
【発明が解決しようとする課題】
【０００６】  本発明は、ｐｎ接合部分に端子を取り付け、アンテナ端子として利用する。【０００７】  アンテナ端子から外部からのエネルギー（静電気・ノイズ・電波・波動）を取り込み、連続的に電気エネルギー（電力）に変換する装置を提供することを課題とするものである。
【課題を解決するための手段】
【０００８】  本発明は、ｎ型半導体とｐ型半導体をｐｎ接合させた半導体素子に、ｎ型半導体とｐ型半導体をｐｎ接合させた半導体素子を接合させた中心部分に端子を取り付け、これをアンテナ端子として外部からのエネルギー（静電気・ノイズ・電波・波動）を取り込み、連続的に電気エネルギー（電力）に変換する。
【発明の効果】
【０００９】  本発明は、ｎ型半導体とｐ型半導体をｐｎ接合させた半導体素子に、ｎ型半導体とｐ型半導体をｐｎ接合させた半導体素子を接合させた中心部分に端子を取り付け、これをアンテナ端子として外部からのエネルギー（静電気・ノイズ・電波・波動）を加えることで、エネルギー密度が上がり、発電エネルギーが数十倍から数百倍にも上がる。
【発明を実施するための形態】
【００１０】以下、図面を参照して本発明の実施形態を説明する。
なお、以下に説明する実施形態に限定されることなく、本趣旨を離脱しない範囲で、任意の構造を採用することができる。
図１は、ｐ型半導体とｎ型半導体をｐｎ接合した部分に端子を付けた基本構成図である。
【００１１】図２は、ｎ型半導体とｐ型半導体に、さらにｎ型半導体とｐ型半導体を接合した部分に端子を取り付けた構成図である。
ｎ型半導体とｐ型半導体が全く逆になっても構わない。
この構成図を連続的に並列・直列に接続した場合も有効的に電気エネルギーを生み出すことができる。
【図面の簡単な説明】
【００１２】
【図１】ｐ型半導体とｎ型半導体をｐｎ接合した部分に端子を付けた基本構成図である。
【図２】ｎ型半導体とｐ型半導体に、さらにｎ型半導体とｐ型半導体を接合した部分に端子を取り付けた構成図である。
【符号の説明】
【００１３】１      ｎ型半導体
２      ｐ型半導体
３      １端子
４      ２端子
５      ３端子
【図１】
2019047099.tif 000003
【図２】
2019047099.tif 000004
(57)【要約】      （修正有）【課題】朝鮮人参成分を最大限抽出し、かつ朝鮮人参独特の匂いや苦味が緩和され、多くの人に飲みやすい飲料に使用する蜂蜜の提供。【解決手段】朝鮮人参を蜂蜜に漬ける浸透圧抽出法により抽出された成分が含まれた蜂蜜を冷暗所にて保管した後、朝鮮人参を取り出し、同量の蜂蜜及びレモン果汁を加えた蜂蜜。具体的には、蜂蜜１リットルに６年生以上の朝鮮人参１本約１００グラムを６ヶ月以上漬け込み成分を抽出させた後、人参は取出し、更に１リットルの蜂蜜を加えたものに同量のレモン果汁を混合させ、これを原液とする。原液を８〜１０倍の水・お湯・炭酸水等で希釈し、飲用する。【選択図】なし【特許請求の範囲】
【請求項１】
朝鮮人参を蜂蜜に漬ける「浸透圧抽出法」より朝鮮人参から抽出された成分が含まれた蜂蜜。
【請求項２】
前記を冷暗所にて保管した後朝鮮人参を取り出し同量の蜂蜜を加えた蜂蜜。
【請求項３】
請求項２記載の蜂蜜と、同量のレモ果汁と混合した蜂蜜。
【発明の詳細な説明】
【技術分野】
【０００１】  本発明は、朝鮮人参を蜂蜜で漬けることで最大限の成分が抽出でき、飲みやすい味を提供する。
【背景技術】
【０００２】  朝鮮人参には様々な有効成分が含まれており、その成分を含有する物にはアルコールで抽出したものが一般的で、万人が飲用できるものではないため、蜂蜜とレモン果汁で飲みやすく製造したものである。
【発明の概要】
【発明が解決しようとする課題】
【０００１】  朝鮮人参成分を最大限抽出し、誰もが飲みやすいものとする。
【課題を解決するための手段】
【０００１】  ６年生以上の朝鮮人参を蜂蜜に漬け、レモン果汁を混合することにより従来のものより、より多くの有効成分を抽出したものを飲みやすくした。
【発明を実施するための形態】
【０００１】  ６年生以上の朝鮮人参１本（約１００ｇ）を、蜂蜜１リットルに漬け、６ヶ月以上冷暗所で保管する。
【０００２】  朝鮮人参を取り出し残った朝鮮人参成分含有蜂蜜と、さらに１リットルの蜂蜜で希釈し、同量のレモン果汁と混合して瓶詰めにする。
(57)【要約】      （修正有）【課題】犬が排便の糞をピポイントに取れて、持ち運び易く、糞の処理も簡単な犬の糞取器の提供。【解決手段】プラスチックタイプの糞を受け取るカップに直接、糞を入れるのではなく、市販の袋をカップ５の中に入れ、広げて輪ゴム等で袋の口を止めておき、糞取器の二段目グリップを握りプッシュボタンを押し糞取器全体を伸ばし犬が糞をする兆候をつかみ、一段目グリップを握り、ピポイントに糞取器のカップを差し出し、犬の糞を受け取る。【選択図】図７
2019187397.tif 000002
【特許請求の範囲】
【請求項１】
図面  図４で示す、カップ状の中に糞を入れる袋を入れ、袋の先端をカップ状の、
淵全体に折り曲げて、輪ゴム等でカップ状の淵、外から止める、また、カップ状の重心がいつも、下に来るように取手、取付部を上部とし、いつも回転をするようにし、糞が入れやすく、また、持って歩いても、カップから犬の糞が落ちることはない、
【請求項２】
図面  図６で示す、取手部の棒状を、ロック付き伸縮にすることで、伸ばして、犬が糞をする兆候をつかんだら、ピポイントにカップを差し出すことができる、
取手部棒状を縮めて、カップを手の近くに持つことで、歩く時に楽な姿勢がとれる
【発明の詳細な説明】
【技術分野】
【０００１】  本発明は、犬の散歩時、犬の糞の放置の改善と、現在ある、犬の糞を入れたりする、バックタイプやレジ袋等、他、糞取器もあるが、糞を受け取る時、人が腰を曲げて犬の糞を取ったり、糞を落としたりと大変です、その改善案として、私が考案した、犬の糞取器は、犬が糞の排便兆候が見えたら、ピポイントに差し出し、犬の糞を、腰を曲げることなく確実に受け取ることができる、受け取った糞の処理も簡単、犬の散歩時も、犬の糞取器を持ちやすく、糞を落とさない工夫をした、
【背景技術】
【０００２】  現在、よく見る、犬の散歩時に持ち歩いているものを、見ると、犬の糞をした後に、糞を袋ななどを用いて取るか、挟み込んで取るなどした糞取器を用いたものを利用しているものが多い、
【発明の概要】
【発明が解決しようとする課題】
【０００３】  犬の糞を袋などを用いて取ることで、人が腰を曲げて糞を取る負担、他、糞取器で取った糞の後始末処理の負担
【発明が解決するための手段】
犬の糞取器は、伸縮できる、棒状先端にカップ状の、少し小さ目のバケツタイプになった物の中に袋を入れ、その中に犬の糞を入れれば、清潔に取り出せ便利です、また犬の大きさに合わせて、カップ状のカップの大きさを簡単に変えることができる様にする、糞取器の持つ取手部を二段階に持つグリップを設ける、歩きやすくするためにとの考案です、
【発明の効果】
【０００６】  本、発明は犬の糞を取る、単純な行動をであるが、犬の糞をする兆候をつかみ、いかに早くピポイントにあてがい、糞を受け取るか、また、歩く時にいかに邪魔にならず、持ちあるか、いかに清潔に糞を処理できる様にしたものと考えます、
【図面の簡単な説明】
【０００７】
【図１】本発明の全体、斜視図
【図２】糞を取るための、カップ（大容量）
【図３】糞を取るための、カップ（小容量）
【図４】カップへ袋を入れ、カップ外淵へ袋をかぶせる輪ゴム等で止めて、糞を入れる
【図５】袋の中の糞を、袋先端、輪ゴム等でしばり、カップから、搬出処理
【図６】糞取器を二段目グリップ握り棒状の全体を二段目グリップ部で縮めて、持ち歩いているところ、
【図７】犬が糞をする兆候をつかみ、ピポイントに糞取器のカップを差し出し排泄物を取る、その前に図面６の時に二段目グリップを握った状態でボタンひとつで、縮んでいた、棒状を伸ばし排泄物を取る、
【発明を実施するための形態】
【０００８】  以下、本発明の実施の形態を説明する。
（イ）本発明は（５）プラスチックタイプの糞を受け取るカップに直接、糞を入れるので    はなく、（１３）市販の袋を（５）カップの中に入れ、広げて（１１）輪ゴム等で袋    の口を（１４）へ止めて、（１２）糞を袋の中に入れる
（ロ）糞取器を持ち歩く時は（２）二段目グリップを握り（１６）プッシュボタン押し（    ３）スライドさせて全体を縮めて持ち歩く
（ハ）糞取器の（１５）二段目グリップを握り（１６）プッシュボタンを押し糞取器全体    を伸ばし犬が糞をする兆候をつかみ、（１）一段目グリップ握り、ピポイントに糞取    器のカップを差し出し、犬の糞を受け取る、
（ニ）カップ大きさは、犬の大きさに合わせて変えることのできる構造に、また（４）カ    ップ底面に水抜き用の穴を数か所開ける（８）固定金具を上下にスライドさせて（６    ）がカップ両サイドから外れる様にし（９）と（１０）のカップが交換できる、また    カップ両サイドの（７）が軸で回転をし、カップ底面が、重い様にして、いつもカッ    プ口を上に来るようにした、持ち歩く時、糞がこぼれにくくするために、
【符号の説明】
【０００９】    １  一段目グリップ、  ２  二段目グリップ、  ３  スライドする棒、  ４  水抜き      の穴、  ５  糞を受け取るカップ、  ６  開く、  ７  回転、  ８  固定金具スラ      イド、  ９  大容量カップ、  １０  小容量カップ、  １１  輪ゴム、  １２  犬      の糞、  １３  市販の袋、  １４  丸い淵、  １５  二段目グリップを持つ手
【図１】
2019187397.tif 000003
【図２】
2019187397.tif 000004
【図３】
2019187397.tif 000005
【図４】
2019187397.tif 000006
【図５】
2019187397.tif 000007
【図６】
2019187397.tif 000008
【図７】
2019187397.tif 000009
(57)【要約】【課題】桔梗、甘草、金銀花、連翹、竹葉の抽出成分を含有する電子タバコ用リキッドの製造方法を提供することにある。【解決手段】電子タバコ用リキッドは、植物性グリセリン、プロピレングリコール、１，３−プロパンジオール、アルコール、水、香料、ビタミン、各物質の全部又は一部で構成され、場合によりニコチンも添加される。プロピレングリコールは、非常に吸湿性の高い物質であることから、のどへの刺激を伴うこともあることから、電子タバコ用リキッドに桔梗、甘草、金銀花、連翹、竹葉の抽出成分の一部又は全部を０．０１％〜５重量％の範囲で入れ混ぜることにより、のどの刺激を和らげる有益な効果を生み出す。【選択図】なし【特許請求の範囲】
【請求項１】
桔梗、甘草、金銀花、連翹、竹葉の抽出成分の一部または全部を含む電子タバコ用リキッドの製造方法
【発明の詳細な説明】
【技術分野】
【０００１】
この発明は、電子タバコ吸引時ののどへの刺激を和らげる、電子タバコ用リキッドの製造方法に関するものである。
【背景技術】
【０００２】
リキッドタイプの電子タバコは、通常は充電式電池を用い、電池により発熱するアドマイザーが加熱され、容器中のリキッドが蒸発し、使用者に水蒸気状の煙が吸入可能となるものである。
【０００３】
リキッドタイプの電子タバコの主な成分は、植物性グリセリン、プロピレングリコール、１，３−プロパンジオール、アルコール、水、香料、ビタミン、各物質の全部又は一部で構成され、場合によりニコチンも添加される。プロピレングリコールは、非常に吸収性の高い物質（特許文献１）であることから、使用者の使用環境や使用者の体調により個人差があるものの使用者によっては、のどへの刺激など呼吸気管への負担となる場合がある。
【先行技術文献】
【特許文献】
【０００４】
【特許文献１】特表２０１７−５０１７１４号公報
【特許文献２】特開２００１−２４７４７２号公報
【特許文献３】特表２００３−５２７１２６号公報
【発明の概要】
【発明が解決しようとする課題】
【０００５】
本発明の課題は、電子タバコ喫煙時の電子タバコ用リキッドに含まれる物質によるのどへの刺激を軽減することである。
【課題を解決するための手段】
【０００６】
前記の目的を達成するための本発明は、植物性グリセリン、プロピレングリコール、１，３−プロパンジオール、アルコール、水、香料、ビタミン、各物質の全部又は一部で構成され、場合によりニコチンも添加される。この電子タバコ用リキッドに漢方薬材である桔梗、甘草、金銀花、連翹、竹葉の抽出成分を０．０１％〜５重量％を混合して電子タバコ用リキッドを構成することを特徴とする。
（特許文献２）では、桔梗、甘草を薬材とし燃やし、吸入する喫煙物の製造方法が述べられ、（特許文献３）では、桔梗の葉を葉たばこ及びフィルターに染み込ませるタバコ及びフィルターの製造方法が述べられている。いずれも、タバコの葉を燃焼させ喫煙させるもので、本発明の電子タバコにおけるリキッドの製造方法とは、喫煙の形態が異なるものである。
【発明の効果】
【０００７】
前記のように、本発明による電子タバコ用リキッドに桔梗、甘草、金銀花、連翹、竹葉の抽出成分を入れ混ぜることにより、のどの刺激を和らげる疾病症状緩和の効果がある。
【発明を実施するための形態】
【０００８】
以下、本発明を良適な実施例を通して詳細に説明すると次の通りである。
本発明は、各漢方薬材のうち、気管支関係の特にのどの刺激に効果的な漢方薬剤を選別し、これらの漢方薬剤文献を参考にして、漢方薬剤を選別した。
【０００９】
漢方薬剤を選別する過程で、桔梗、甘草、金銀花、連翹、竹葉を使用して試料を作り、のどへの刺激に対する効果を測定するため実験を下記のように行った。
【００１０】
前記試料は、漢方薬材である桔梗、甘草、金銀花、連翹、竹葉を刻みの状態で各５重量ｇ、これに水５００mLを加え、土鍋で３０分間弱火で加熱した上で、ろ過を行い、前記ろ過液に無水エタノールを加え、混合した。
【００１１】
漢方薬材から有効成分を抽出するための抽出方法は、前項の他、固体物質から液体物質を抽出法として、エタノールで抽出し加熱あるいは減圧下でエキスを抽出する方法、水蒸気蒸留法など他の方法での抽出は、当然可能である。
【００１２】
植物性グリセリンおよびプロピレングリコールの配合割合は、植物性グリセリン１０〜１００重量％およびプロピレングリコール１０〜１００重量％の範囲で、必要に応じて変更が可能である。また、プロピレングリコールを扱い易くするため精製水で薄めること、植物性グリコールおよびプロピレングリコールの代替えとして１，３−プロパンジグリコール、ジプロピレングリコールを用いることも可能である。
【００１３】
香料は、要求に応じて種々のタイプの、例えばタバコ、甘味またはフルーツ味の物質でよい。必要に応じ、リキッド中の成分に他の香料、ビタミン成分を加えることは当然可能である。
【実施例】
【００１４】
以下の実施例は、本発明を詳細に説明するものであって、本発明の範囲を制限するものではない。
【００１５】
ーリキッドの製造ー
植物性グリセリン５０重量％（重量１０ｇ）およびプロピレングリコール重量５０％（重量１０ｇ）に漢方薬材の有効成分を含むエタノール抽出液（重量０．５ｇ）を加え、混合し２４時間常温で保管した。
【００１６】
（実施例１）
本溶液を電子タバコ機器で５分間吸い、のどへの刺激を経過観察した。リキッドタイプの電子タバコは、電子タバコ機器の電池の出力値や使用するアドマイザーのコイルの抵抗値に、吸引される煙の量や質が大きく作用することから、今回は、アドマイザーに内臓されているコイルは抵抗値１．８Ω、出力は１２Wの状態で５分間吸い経過観察を行った。
(評価)
吸引時の喉の刺激は若干ある。１５分経後、１時間経過後は、のどの刺激は感じられなかった。
なお、本発明の桔梗、甘草、金銀花、連翹、竹葉の抽出成分を入れ混ぜる前の状態では、吸引時の喉の刺激があり、１５分経過後、１時間経過後も若干ののどへの刺激が感じられた。
【産業上の利用可能性】
【００１７】
本発明の電子タバコ用リキッドは、嗜好品としての電子タバコの需要に対し、利用可能性が見込まれる。
のどの痛みに対する鎮痛作用が医学的な研究により証明することが出来れば、本発明により嗜好品としてのタバコの枠を超えた医療産業上の利用可能性が見込める。
【符号の説明】
【００１８】
なし
(57)【要約】【課題】省人化を図るのに有効なクレーンゲーム機の提供を目的とする。【解決手段】移動制御されたクレーンに設けられたキャッチャーにて景品を掴むことを楽しむクレーンゲーム機であって、前記景品を次のゲームが始まる前に元の位置に戻すための移動手段を備えたことを特徴とする。【選択図】  図１
2019187570.tif 000002
【特許請求の範囲】
【請求項１】
移動制御されたクレーンに設けられたキャッチャーにて景品を掴むことを楽しむクレーンゲーム機であって、
前記景品を次のゲームが始まる前に元の位置に戻すための移動手段を備えたことを特徴とするクレーンゲーム機。
【発明の詳細な説明】
【技術分野】
【０００１】
本発明は、景品をクレーンにて掴み上げるクレーンゲーム機に関する。
【背景技術】
【０００２】
クレーンゲーム機は、アーム状のキャッチャーをクレーンで操作し、景品を掴み、ゲットすることをプレイするゲーム機である。
この種のゲーム機は、これまでアミューズメント等の遊戯施設に足を運び、ゲームを楽しむスタイルのみならず、その動きをビデオカメラで動画撮影し、それをインターネットなどの通信ネットワークを介して通信端末機に配信することで、自宅等にいながらゲームを楽しむことができるようになっている（特許文献１）。
この場合に、クレーン操作にて直接的に景品をゲットするのではなく、別の景品をプレイした人に配送することが行われている。
従って、クレーンゲーム機内に置かれた景品は、繰り返しゲームに使用されることになるが、ゲームを始める前にその都度、景品を元の位置に戻す必要があり、これまでは人手で対応していた。
これでは、複数台のゲーム機を設置した場合に多くの人員が必要になり、省人化を図る必要があった。
本発明は、この省人化を目的になされたものである。
【先行技術文献】
【特許文献】
【０００３】
【特許文献１】特開２００７−２２９２５８号公報
【発明の概要】
【発明が解決しようとする課題】
【０００４】
本発明は、省人化を図るのに有効なクレーンゲーム機の提供を目的とする。
【課題を解決するための手段】
【０００５】
本発明に係るクレーンゲーム機は、移動制御されたクレーンに設けられたキャッチャーにて景品を掴むことを楽しむクレーンゲーム機であって、前記景品を次のゲームが始まる前に元の位置に戻すための移動手段を備えたことを特徴とする。
ここで、移動手段とは景品が元の位置に戻るように機械的に設けられた自動手段をいう。
【発明の効果】
【０００６】
本発明に係るクレーンゲーム機においては、ゲーム中に移動した景品を次のゲームが始まる前に自動で元の位置に移動させる移動手段を有するので、従来人が手で元の位置に戻していたのに比較し、省人化できる。
また、連続的にゲームを楽しむことができる。
【図面の簡単な説明】
【０００７】
【図１】（ａ）〜（ｃ）は通信機器に表示されるクレーンの動きを示す。
【図２】ゲーム毎に表示させる画面の例を（ａ），（ｂ）に示す。
【図３】クレーンゲーム機の内部の構造例を（ａ），（ｂ）に示す。
【図４】（ａ），（ｂ）に景品の動きを示す。
【発明を実施するための形態】
【０００８】
クレーンゲーム機２０は、図３に示すようにアーム状のキャッチャー２２を左右，前後方向及び上下方向に移動操作するクレーン２１を有する。
この動きをビデオカメラ等にて撮影し、インターネット等の通信ネットワーク介して遠隔地の自宅等に居るプレイをしたい人に配信される。
その通信機器１１のディスプレイを図１に示す。
通信機器は、スマートフォン，タブレット端末，パソコン等が例として挙げられる。
【０００９】
プレイをする人は、タッチ操作タイプの画面に設けられた操作部１２の表示に従い、ゲーム機の予約状況，ゲームをするためのポイント数，景品の種類の選択等をクリック指定し、映像表示部１３に映し出されたクレーン２１を操作し、キャッチャー２２にて景品２３を掴み、予め定められた獲得部２４を示す位置に運ぶことができれば、景品２３をゲットすることができる。
図１（ｂ）は、景品２３をキャッチャー２２にて掴み上げた状態、図１（ｃ）は掴み上げた景品２３を獲得部２４の上に上手く投下した状態を示す。
【００１０】
景品２３をゲットできると図２（ａ）のような画面になり、ゲットできなかったら図２（ｂ）のように表示される。
この間は画面にクレーンの動きが表示されないので、その間にモーター等の移動手段２５が景品を元の位置に戻すことになる。
図３（ａ），（ｂ）に示すように景品２３は、動画では判別できにくい位の細い糸２７で、巻き取り車２６に繋がれている。
また、糸２７の長さは、景品の移動を全く妨げない十分な長さになっている。
図４（ｂ）に示すように長い糸２７を巻き取ると、巻き取り穴２８の位置まで引き戻されることで、元の位置に自動で戻させる。
【符号の説明】
【００１１】
１１      通信機器
１２      操作部
１３      映像表示部
２１      クレーン
２２      キャッチャー
２３      景品
２４      獲得部
【図１】
2019187570.tif 000003
【図２】
2019187570.tif 000004
【図３】
2019187570.tif 000005
【図４】
2019187570.tif 000006
(57)【要約】      （修正有）【課題】汁物を器に注ぐ際、液体が杓子の底を伝ってたれてしまうことにより、器の外側を汚してしまうことがなく、また、汁物を杓子いっぱいにすくうとき、液体が杓子の周りから溢れてこぼれてしまい、お玉を汚すことが少なく、汚れた杓子を拭く手間が省けるお玉を提供する。【解決手段】柄（３）の一端側に、取っ手（４）を有し、柄（３）の他端側の先に略半球状の杓子（１）が有するお玉であって、杓子（１）のふち部分（２）を外側に反らせた、お玉。【選択図】図１
2019051284.tif 000002
【特許請求の範囲】
【請求項１】
取っ手（４）と柄（３）の先に杓子（１）を取付け、杓子（１）のふち部分（２）を外側に反らせたことを特徴とする、反りのある、液だれしないお玉。
【発明の詳細な説明】
【技術分野】
【０００１】  この発明は、お玉の杓子のふち部分を外側に反らす事によって、液体をたれないようにした、反りのある、液だれしないお玉に関するものである。
【背景技術】
【０００２】  従来のお玉は、柄の先に半球状の杓子が付いた道具である。
杓子のふち部分に、１カ所注ぎ口の付いたものもある。
【先行技術文献】
【特許文献】
【０００３】
【特許文献１】実用新案登録第３１７０１５３号公報
【発明の概要】
【発明が解決しようとする課題】
【０００４】  これは、次のような問題点があった。
（イ）従来のお玉は、汁物を器に注ぐ際、液体が杓子の底を伝ってたれてしまうため、器      の外側を汚してしまう事が多々あった。
（ロ）杓子のふち部分に注ぎ口の付いている物でも、似たような現象が起こった。
（ハ）汁物を杓子いっぱいにすくうと、液体が杓子の周りから溢れてこぼれてしまう。
（ニ）ゆっくり丁寧にお汁を注がないとこぼれやすかった。
（ホ）器が汚れた時は拭けばすむが、料理中にお玉の出番はとても多くあり、その都度拭      くには手間がかかる。
本発明は、これらの問題点を解決するためになされたものである。
【課題を解決するための手段】
【０００５】取っ手（４）と柄（３）の先に杓子（１）を取付け、杓子（１）のふち部分（２）を外側に反らせる。
本発明は、以上の構成よりなる、反りのある、液だれしないお玉である。
【発明の効果】
【０００６】（イ）本発明のお玉は、杓子のふち部分を外側に反らすことによって、汁物を器に注ぐ際      、液体が杓子の底を伝わなくなるため、たれにくくなり器が汚れない。
（ロ）汚れた器を拭く手間が省け、忙しい人にとってはきわめてありがたい商品である。
（ハ）ふちの部分が反っている事により、従来通りに汁物をすくっても、杓子の周りから      液体が溢れてこぼれる事もなくなる。
【図面の簡単な説明】
【０００７】
【図１】  本発明の斜視図である。
【図２】  本発明の正面図である。
【発明を実施するための形態】
【０００８】  以下、本発明の実施形態について説明する。
取っ手（４）と柄（３）の先に杓子（１）を取付け、お玉で汁物をすくった際に、液体が杓子の底を伝ってたれないように、杓子（１）のふち部分（２）を外側に反らせる。
本発明は、以上のような構造である。
本発明を使用するときは、従来通りに汁物を器に注ぐと、液体が杓子の底を伝わないのでたれにくく、器の外側が汚れる事がなくなるので、器を拭く手間が省ける。
【符号の説明】
【０００９】  １  杓子
２  ふち部分
３  柄
４  取っ手
【図１】
2019051284.tif 000003
【図２】
2019051284.tif 000004